(57)【特許請求の範囲】
【請求項１】
上方に延びる導水管及びこの導水管の上端に設けられた斜め上方に延びる放水用ノズルを有する回転可能なスプリンクラーヘッドと、前記導水管に接続され、前記スプリンクラーヘッドを回転させるモータが設けられた駆動装置と、を備え、前記放水用ノズルの先端部の噴射口部から放水を行うスプリンクラーであって、
前記噴射口部と連なる開口部又は前記噴射口部を外側に突出させるための開口部が形成された、前記放水用ノズルを覆うカバー体をさらに備え、
前記カバー体は、前記放水用ノズルに接続されて前記放水用ノズルとともに回転し、かつ、動物、運道具若しくは建物を模した置物的外観又は動物、運道具若しくは建物を模した外観を有している、ことを特徴とするスプリンクラー。
【請求項２】
上方に延びる導水管及びこの導水管の上端に設けられた斜め上方に延びる放水用ノズルを有する回転可能なスプリンクラーヘッドと、前記導水管に接続され、前記スプリンクラーヘッドを回転させるモータが設けられた駆動装置と、を備え、前記放水用ノズルの先端部の噴射口部から放水を行うスプリンクラーであって、
前記放水用ノズル及び前記モータを収容する囲い体をさらに備え、
前記囲い体は、グラウンドに固定されて配置された基体と、前記放水用ノズルに接続されて前記放水用ノズルとともに回転するように、前記基体の上側に配置された、前記噴射口部と連なる開口部又は前記噴射口部を外側に突出させるための開口部が形成されているカバー体と、を有し、
前記囲い体は、動物、運道具若しくは建物を模した置物的外観又は動物、運道具若しくは建物を模した外観を有している、ことを特徴とするスプリンクラー。
【請求項３】
前記囲い体は球形状に形成され、この囲い体の外面にはサッカーボール等の運道具を表した模様が付されている、ことを特徴とする請求項２記載のスプリンクラー。
【請求項４】
前記駆動装置は、前記スプリンクラーヘッドの回転角度を設定するための角度設定機構を含み、
前記角度設定機構は、前記スプリンクラーヘッドに設けられた、検出体及び被検出体のうちの一方体と、前記スプリンクラーヘッドの外周に複数配置された、検出体及び被検出体のうちの他方体と、を有し、
検出体及び被検出体のうちの前記他方体はそれぞれ、前記スプリンクラーヘッドの回転軸を中心として回転的に移動できるように配置され、
検出体及び被検出体のうちの前記一方体と前記他方体との接近により、前記モータが逆方向に回転するように構成されていて、
前記駆動装置は、前記スプリンクラーヘッドの前記導水管の外周に、このスプリンクラーヘッドの回転軸を中心とする、前記導水管の外径よりも大径の環状取付部を備え、検出体及び被検出体のうちの前記他方体は、ガイド溝を有し、このガイド溝に前記環状取付部を収めた状態で、前記環状取付部にスライド移動可能に取り付けられることにより配置されている、ことを特徴とする請求項１、２又は３記載のスプリンクラー。
【請求項５】
前記放水用ノズルの前記噴射口部又は前記カバー体の前記開口部にはカバー栓が取り付けられていて、前記カバー栓は、放水時に前記噴射口部を開放するとともに、停止時に前記噴射口部を塞ぐように構成されている、ことを特徴とする請求項１、２、３又は４記載のスプリンクラー。
【請求項６】
前記カバー栓は、前記放水用ノズルの前記噴射口部又は前記カバー体の前記開口部にヒンジ機構を介して揺動可能に取り付けられていて、放水時には放水圧によって前記噴射口部を開放するとともに、停止時には自重によって前記噴射口部を塞ぐように構成されている、ことを特徴とする請求項５記載のスプリンクラー。
【請求項７】
前記モータは、遠隔操作によって回転速度を調節することができるように構成されている、ことを特徴とする請求項１、２、３、４、５又は６記載のスプリンクラー。
【請求項８】
前記モータが、放水後、前記スプリンクラーヘッドを復帰回転させて、前記放水用ノズルを放水前の位置に戻すことができるように構成されている、ことを特徴とする請求項１、２、３、４、５、６又は７記載のスプリンクラー。
【請求項９】
前記カバー体が所定の角度以上回転しないようにする安全装置をさらに備え、
前記安全装置は、前記基体に設けられたピンと、前記カバー体に設けられた突出片と、を有し、
前記カバー体が、前記突出片と前記ピンとが当接するまで回転し、前記突出片及び前記ピンの当接により前記カバー体の回転が阻止されると、前記モータが停止するように構成されている、ことを特徴とする請求項２又は３記載のスプリンクラー。
【発明の詳細な説明】
【技術分野】
【０００１】
本発明は、学校の運動場や競技場あるいは公園や庭園等に設置されて、地面や樹木等への水撒きを行ったり、火災時の延焼を防止するために樹木や建物等に散水を行ったりするスプリンクラーに関する。
【背景技術】
【０００２】
学校の運動場や競技場あるいは公園や庭園等への水撒き又は散水は、広範囲にわたる放水が可能なスプリンクラーを用いて行われる場合が多い。このようなスプリンクラーでは、通常、スプリンクラーヘッドが、地中に埋設された送水管あるいは水道管と連通して地面又はグラウンドから突出するように、かつ、駆動装置を介して回転できるように設けられている（例えば、特許文献１参照）。
【０００３】
【特許文献１】実開昭５９−１１５４６３号公報（第２図）
【発明の開示】
【発明が解決しようとする課題】
【０００４】
しかしながら、従来のスプリンクラーは、スプリンクラーヘッドが地上にむき出しであるため、周囲の景観を損ねる要因となったり、歩行者等が不注意でスプリンクラーヘッドの放水用ノズルに接触して怪我をしてしまう等の欠点があった。また、放水用ノズルは、雨風等にさらされるため、装置の保守性が悪いという欠点があった。
【０００５】
そこで本発明は、景観性に優れ、十分な安全性及び装置の保守性をも有するスプリンクラーの提供を目的とする。
【課題を解決するための手段】
【０００６】
この目的を達成するための本発明のスプリンクラーは、放水用ノズルを有する回転可能なスプリンクラーヘッドと、このスプリンクラーヘッドを回転させるモータが設けられた駆動装置と、を備え、前記放水用ノズルの噴射口部から放水を行うスプリンクラーであって、前記放水用ノズル又は前記スプリンクラーヘッドの先端側は、例えば、前記駆動装置又は前記駆動装置の一部とともに、前記噴射口部と連なる開口部又は前記噴射口部を外側に突出させるための開口部が形成されたカバー体により覆われていて、このカバー体は、前記放水用ノズルとともに回転し、かつ、オブジェ的外観を有しているものである。オブジェ的外観には置物的外観が含まれ、置物的外観としては、動物、運道具又は建物等を模したものが採用可能である。
【０００７】
また、本発明のスプリンクラーは、放水用ノズルを有する回転可能なスプリンクラーヘッドと、このスプリンクラーヘッドを回転させるモータが設けられた駆動装置と、を備え、前記放水用ノズルの噴射口部から放水を行うスプリンクラーであって、前記放水用ノズル及び前記モータは囲い体内に収容されていて、前記囲い体は、グラウンド（例えば、土やコンクリート等の地表又は地表部）に固定されて配置された基体と、前記放水用ノズルとともに回転するように、前記基体の上側に配置された、前記噴射口部と連なる開口部又は前記噴射口部を外側に突出させるための開口部が形成されているカバー体と、を有し、前記囲い体はオブジェ的外観を有しているものとして構成することができる。基体とカバー体との境界部分では、囲い体の内部にゴミ等が容易に侵入しない構造が構成されるのが好ましい。基体は、グラウンドに直接固定されて配置される場合と、グラウンドに設けられた支持体に支えられることにより、グラウンドに固定される場合とがある。ここでは、グラウンドに落ちているゴミや草、微粒土砂等に影響されずに、効率よくカバー体を回転させることができる。
【０００８】
スプリンクラーヘッドの回転角度は調節可能であること、例えば、自由に調節可能であることが好ましい。そこで、簡単な構成で容易にスプリンクラーヘッドの回転角度を設定できるように、駆動装置に、スプリンクラーヘッドの回転角度を設定するための角度設定機構又は角度調節機構を設けておくのが効果的である。角度設定機構としては、スプリンクラーヘッドに設けられた、検出体及び被検出体のうちの一方体と、スプリンクラーヘッドの外周に複数配置された、検出体及び被検出体のうちの他方体と、を有し、検出体及び被検出体のうちの他方体がそれぞれ、スプリンクラーヘッドの回転軸を中心として回転的に、すなわち、スプリンクラーヘッドの回転軸を中心とする円形状に沿って移動できるように配置されているといったものを用いることができる。ここでは、検出体及び被検出体のうちの一方体と他方体との接近により、すなわち、検出体による被検出体又は被検出体の接近の検出又は感知により、モータが逆方向に回転するように構成される。より具体的には、駆動装置が、スプリンクラーヘッドの外周に、スプリンクラーヘッドの回転軸を中心とする環状の取付部を有し、検出体及び被検出体のうちの他方体が、この取付部に、この取付部に沿ってスライド移動可能に取り付けられるように構成する。検出体及び被検出体のうちの一方体は、例えば１つだけ設けられる。
ここに記載された技術は、次の発明に包含される。
（１）駆動装置は、スプリンクラーヘッドの回転角度を設定するための角度設定機構を含み、
角度設定機構は、スプリンクラーヘッドに設けられた、検出体及び被検出体のうちの一方体と、スプリンクラーヘッドの外周に配置された、検出体及び被検出体のうちの他方体と、を有し、
前記一方体及び前記他方体のうちの一方は複数用いられていて、前記一方体及び前記他方体のうちのこの一方が、前記スプリンクラーヘッドの回転軸を中心として回転的に移動できるように構成されているスプリンクラー。
一方体及び他方体のうちの他方は例えば１つだけ用いられる。
【０００９】
放水用ノズルの噴射口部には、好ましくは、停止時（放水停止時）にノズル内にゴミ等が入らない構成が適用されていることが好ましい。具体的には、噴射口部を塞ぐようにカバー栓を設け、このカバー栓を、放水用ノズルの噴射口部又はカバー体の開口部に、例えば、ヒンジ機構を介して上方に又は開放方向に揺動可能な状態で取り付けておく。このように構成することによって、放水時には、例えば放水圧により、カバー栓を上方に揺動させて噴射口部を開放させるとともに、停止時には、例えば自重により、噴射口部を塞ぐことができる。
【００１０】
放水用ノズルからの放水量を調節するためには、モータの回転速度（スプリンクラーヘッドの回転速度）を調節可能にしておくことが好ましい。例えば、モータの回転速度を調節して、スプリンクラーヘッドをゆっくり回転させると、スプリンクラーヘッドを速く回転させた場合に比べて、少ない回転回数でグラウンドに十分な量の水を放水することができる。また、放水量を確認しながら速度調節できるように、モータの回転速度の調節を、遠隔操作するように構成することが好ましい。
【００１１】
放水後、放水用ノズルの位置が放水前の位置に戻ることが可能であること、すなわち、放水後にモータを回転させて、放水用ノズルの位置が放水前の位置に戻るようにスプリンクラーヘッドを回転させることができるように構成されていることが好ましい。
【発明の効果】
【００１２】
本発明にあっては、以下に示す効果が得られる。
【００１３】
本発明のスプリンクラーは、学校の運動場や競技場あるいは公園や庭園等に設置することによって、優れた放水機能を発揮するにとどまらす、安全に、景観性に富んだ空間を演出することができるものである。
【００１４】
また、モータを回転させると、放水用ノズル及びカバー体が一緒に回転するので、カバー体の開口部に遮られることなく、確実に放水用ノズルから放水することができる。
【００１５】
カバー体又は囲い体はオブジェ的に用いられて目立つので、歩行者等の視覚に容易に訴えることができる。したがって、歩行者等は容易に気付くことができるので、不注意で接触して怪我をしてしまう等の不具合がなく、安全に用いることができる。
【００１６】
放水用ノズルは、雨水やゴミ等の外的要因から効果的に防御される。したがって、保守性が良いので、長期間にわたり安定した放水状態を得ることができる。
【発明を実施するための最良の形態】
【００１７】
以下、本発明を実施するための形態を図面を参照して説明する。
【００１８】
図１乃至図７に示す本発明に係るスプリンクラー１は、学校の運動場３（グラウンド）に設置されて運動場３に水撒きを行うものであり、地下に埋設された水道管（図示せず）から多少地上（運動場３の上方）に突出するまで延びる分岐管５の先端部（上端部）に、スプリンクラーヘッド７を回転可能に接続し、このスプリンクラーヘッド７を囲い体９で全体的に覆うことにより構成されている。
【００１９】
分岐管５の先端部には、円盤状のベース体１１が取り付けられ、この円盤状のベース体１１の上面には、筒状のヘッド取付部材１２が固定されている。ベース体１１の内周には雌ネジ（図示せず）が形成されていて、ベース体１１は、この雌ネジを、分岐管５の先端部外周に形成された雄ネジ（図示せず）にねじ付けることにより、分岐管５の先端部に固定されている。なお、分岐管５の先端部を除く下方部外周には、セメント等で形成された、円柱状の基礎１３が形成されている。また、分岐管５には、電磁弁６が介装されていて、この電磁弁６を遠隔操作の制御装置１４によって開閉できるように構成している。
【００２０】
スプリンクラーヘッド７は、上方に延びる、金属パイプ等で形成された導水管１５と、この導水管１５の先端部に固定して接続された、斜め上方に向かって延びる放水用ノズル１７と、を有し、導水管１５は、下端部が分岐管５の先端部に回転可能に接続されるようにヘッド取付部材１２内に通されて、このヘッド取付部材１２により回転可能に支えられている。
【００２１】
放水用ノズル１７は、大口径の噴射口部２１が形成されたメインノズル２３と、先端にかけて内壁面が先細となる小口径の噴射小口部２５が形成されたサブノズル２７と、を有し、メインノズル２３は、導水管１５から供給される水２９を加圧状態にして遠方に放水させるように構成されているとともに、サブノズル２７は、噴射小口部２５に細溝３１を形成し、導水管１５から供給される水２９を加圧状態にして比較的近くに飛散させるように構成されている。メインノズル２３の先端側は、内壁面が先端手前まで先細となるように形成されている。
【００２２】
メインノズル２３の基部の外周上面には、雌ネジが形成されている固定穴３３を備えたカバー固定部３５が一体的に設けられていて、このカバー固定部３５の固定穴３３、より具体的には、固定穴３３の中心は、スプリンクラーヘッド７の回転中心と一致するように配置されている。
【００２３】
カバー固定部３５の固定穴３３には、先端部が放水用ノズル１７の先端よりも高い位置まで延びるように、所定の長さ寸法で形成されたボルト３７が、例えば、高さ調節可能に、ねじ付けられていて、このボルト３７は、ナット３９、３９によってカバー固定部３５に固定されている。
【００２４】
メインノズル２３の噴射口部２１の上端部には、ヒンジ機構４１を介してメインノズル２３の噴射口部２１を覆うカバー栓４３が取り付けられていて、このカバー栓４３は、放水時に開放されるとともに、停止後は、自重によって噴射口部２１を塞ぐように構成されている。なお、カバー栓４３が上方に必要以上に揺動しないようにするために、ヒンジ機構４１にはストッパー手段（例えば、ストッパー片）が備えられている。なお、カバー栓４３を、メインノズル２３及びサブノズル２７の噴射口部２１及び噴射小口部２５を覆うように構成してもよい。
【００２５】
スプリンクラーヘッド７を回転させるための駆動装置４５は、スプリンクラーヘッド７の導水管１５にギアを介して接続され、この導水管１５を回転させる電動モータ４７と、このモータ４７を収容してヘッド取付部材１２に固定された、下部が開口し、上部に導水管１５の先端部を挿通させる開口部４９が形成されたケース体５１と、を有して構成されている。モータ４７は、制御装置１４で制御されていて、この制御装置１４により、放水時には、スプリンクラーヘッド７を、例えば、１分間に１８０度回転させるとともに、放水後（停止時）は、放水用ノズル１７が放水前の位置に戻るように、前記スプリンクラーヘッド７を復帰回転させることができるように構成されている。
【００２６】
ケース体５１の上面又は天井部上面には、スプリンクラーヘッド７の回転軸又は導水管１５を中心として、環状の取付部５３が一体的に形成され、この環状の取付部５３には、複数個、本実施の形態では２個の検出体（センサー）５５、５５が、この取付部５３に沿ってスライド移動可能に取り付けられている。
【００２７】
検出体５５は、環状の取付部５３に嵌め付けられるように下側に開口した弧状のガイド溝５６が形成されているスライド基部５９と、このスライド基部５９に固定された、例えば、磁気検出型のセンサー本体６１と、で構成されていて、ガイド溝５６が環状の取付部５３を収めた状態で、固定ビス５７によって環状の取付部５３に固定されている。固定ビス５７を緩めることにより、検出体５５を環状の取付部５３上でスライド移動させることができるようになり、任意の位置に固定することが可能となる。なお、検出体５５の移動は、環状の取付部５３と、スライド基部５９の弧状のガイド溝５６とで行うものについて説明したが、上方に開口する環状のガイド溝を形成した環状の取付部５３と、この環状の取付部５３のガイド溝内にスライド移動可能に嵌り込む突起部が形成されているスライド基部５９とで行うように構成してもよい。
【００２８】
一対の検出体５５、５５で検出される被検出体６３は、例えば、金属製のビス材等で構成されていて、スプリンクラーヘッド７の導水管１５と放水用ノズル１７との境界付近に一個固定されている。被検出体６３は、スプリンクラーヘッド７の回転とともに回転移動して、検出体５５に接近することによって検出され、この検出体５５による被検出体６３の検出に基づいて、制御装置１４でモータ４７の回転方向、したがって回転角度を制御する（例えば、モータ４７を逆回転させる）。
【００２９】
なお、本形態では、環状の取付部５３に一対の検出体５５、５５を取り付け、スプリンクラーヘッド７に被検出体６３を設けた角度設定機構６５について説明したが、この角度設定機構６５を、例えば、環状の取付部５３に一対の被検出体６３、６３をスライド移動可能に取り付け、スプリンクラーヘッド７に検出体５５を設けるように構成してもよい。
【００３０】
囲い体９は、アルミ、ステンレス合金等の金属板をプレス成型することによって得られ、ベース体１１にビス固定された、駆動装置４５を収容する又はほぼ収容する、底部が開口している半球ケース状の基体６７と、この基体６７の上方に配された、スプリンクラーヘッド７の放水用ノズル１７の噴射口部２１及び噴射小口部２５が連なる開口部６９が形成されて、放水用ノズル１７を覆う半球ケース状のカバー体７１と、を有して構成されていて、基体６７及びカバー体７１の全体が一つのオブジェ的外観を有する形状、例えば、球形状等に形成されている。なお、外面は、オブジェとしての装飾性をさらに付加するために、多彩な色彩や模様（例えば、図６に示すようなサッカーボール等を表した模様）、蛍光塗料等で装飾してもよい。なお、放水用ノズル１７の噴射口部２１及び噴射小口部２５は、開口部６９から外側にわずかに突出している。
【００３１】
基体６７には、下端部にベース体１１にビス固定するための固定用フランジ７３が形成され、上方開口部の内周面には、金属板でリング状に形成され、上端部が上方開口部よりも上方に突出するように形成された枠部材７５が溶接等によって固定されている。枠部材７５の内周面には、高さ方向中央で、内側に向かって突出するフランジ７６が一体形成されている。なお、基体６７の下方には、ベース体１１及びこのベース体１１の下方に配された基礎１３を覆うように筒状のベース用カバー体７７が設けられている。
【００３２】
カバー体７１の上部中央には、スプリンクラーヘッド７のボルト３７が挿入されるボルト挿入孔７９が形成された固定用凹部８１が設けられていて、この固定用凹部８１とカバー固定部３５との間に筒状の支持体８３が配置されている。また、カバー体７１の下方開口部寄りの内周面には、内側に向かって突出するフランジ８５を有するリング部材が溶接等によって固定されていて、基体６７の枠部材７５の上端部は、カバー体７１の内側に入り込んでいるが、フランジ８５の下面と枠部材７５の上端部との間には、隙間が形成されている。また、カバー体７１の下端と蓋体６７の上端との間にもわずかな隙間が形成されている。このように構成されたカバー体７１は、スプリンクラーヘッド７に固定されてスプリンクラーヘッド７とともに回転する。
【００３３】
基体６７及びカバー体７１には、カバー体７１（スプリンクラーヘッド７）が所定の角度（例えば、１８０度）以上回転しないように安全装置８６が設けられている。この安全装置８６は、カバー体７１に取り付けられたリング部材のフランジ８５の１個所に、後端部がビス等によって固定された、先端部がフランジ８５よりも内側に向かって突出しているブロック状の突出片８７と、基体６７に取り付けられた枠部材７５のフランジ７６の対向する２個所にボルト等によって固定された、突出片８７を受け止めるためのブロック状の回り止め用片８９、８９と、この回り止め用片８９、８９に設けられた回り止めピン９０、９０と、を有して構成されている。すなわち、突出片８７が回り止め用片８９、８９の回り止めピン９０、９０の間を往復できるように構成されている。なお、突出片８７が回り止め用片８９、８９の回り止めピン９０、９０によって受け止められて、カバー体７１（スプリンクラーヘッド７）の回転が阻止されると、モータ４７に過負荷がかかるが、この過負荷を制御装置１４で検出して、制御装置１４によって、モータ４７を逆方向に回転させたり、あるいはモータ４７を非常停止させる。
【００３４】
このような安全装置８６を設けることによって、モータ４７が所定の回転角度以上に回転するように作動してしまっても、スプリンクラーヘッド７（カバー体７１）の回転を確実に阻止することができる。なお、安全装置８６は、カバー体７１に取り付けられたリング部材のフランジ８５の１個所に突出片８７を設け、基体６７に取り付けられた枠部材７５のフランジ７６の対向する２個所に回り止め用片８９、８９を設けたものについて説明したが、フランジ８５の例えば２個所に突出片８７を設け、フランジ７６の１個所に回り止め用片８９を設けてもよい。
【００３５】
制御装置１４は、運動場３の隅部や屋内等に設置されたボックス体９１と、このボックス体９１に収容された、モータ４７及び電磁弁６を制御する制御機構部９３と、を有して構成されている。制御機構部９３は、モータ４７の回転速度を調整したり、例えば電磁弁６の開閉を操作するためのスイッチ類（図示せず）を備えている。この制御装置１４によって、モータ４７の回転速度等の調整を遠隔操作することができる。
【００３６】
上記構成のスプリンクラー１は、先ず、分岐管５の先端部にベース体１１をねじ付けて、この状態でベース用カバー体７７を配置する。次に、ベース体１１に基体６７とヘッド取付部材１２とをボルト固定する。なお、ヘッド取付部材１２の固定は、予めスプリンクラーヘッド７及び駆動装置４５を取り付けた状態で行うと効率的である。
【００３７】
次に、ベース体１１上に基体６７、ヘッド取付部材１２及びスプリンクラーヘッド７が配設された状態でカバー体７１を取り付ける。具体的には、筒状体８３をカバー固定部３５上に載置してから、ボルト３７の上端部がカバー体７１のボルト挿入孔７９より上方に突出するようにして、かつ、放水用ノズル１７の先端部が開口部６９より外方に多少突出するようにして、カバー体７１を取り付け、固定用凹部８１内でボルト３７にナット８７をねじ付けてカバー体７１をスプリンクラーヘッド７に固定する。なお、放水用ノズル１７の先端部を開口部６９より外方に出す場合、放水用ノズル１７の先端部には、予め、開口部６９をカバー体７１の内面側から覆うゴム製のカバーシート９５を貫通させて取り付けておく。このカバーシート９５によって、開口部６９よりカバー体７１内にゴミや水等が浸入するのを防止することができる。カバー体７１をスプリンクラーヘッド７に固定した後は、固定用凹部８１を、アルミ、ステンレス合金等の板材をプレス成型して得られたキャップ９７を用いて複数のビスによって固定して塞ぐ。
【００３８】
この場合、基体６７の上端（上方開口縁部）とカバー体７１の下端（下方開口縁部）とが当接しないように、両者を若干の隙間を設けて設置することにより、カバー体７１を効率よく回転させることができる。なお、キャップ９７は、プラスチック材、ゴム材等で形成されたものを用いて固定用凹部８１内に圧入状態で嵌合させるように構成してもよい。
【００３９】
このようにして運動場３（グラウンド）に設置されたスプリンクラー１は、停止時は、図２、図６に示すように、オブジェ的に用いられ、歩行者等の美感に訴えるとともに、カバー体７１を回転させて放水する場合は、放水圧によってカバー栓４３が上方に揺動して、メインノズル２３の噴射口部２１を開放する。この状態でスプリンクラーヘッド７及びカバー体７１が回転することにより、図７に示すように、運動場３に広範囲に放水することができる。なお、放水の停止時には、上方に揺動した前記カバー栓４３が自重によって下方に揺動し、メインノズル２３の噴射口部２１を閉塞する。メインノズル２３及びサブノズル２７からは水２９を噴射させるが、液状の薬剤等を散布するように用いてもよい。
【００４０】
また、スプリンクラー１は、運動場３に固定されて配置された基体６７の上側でカバー体７１を回転させるように構成しているので、運動場３に落ちているゴミや草、微粒土砂等に影響されずに、効率よくカバー体７１を回転させることができる。
【００４１】
なお、放水用ノズル１７及び駆動装置４５が、基体６７及びカバー体７１内に収容され、カバー体７１を基体６７の上側で回転させるように構成したものについて説明したが、放水用ノズル１７及び駆動装置４５を収容することができるカバー体を用いて（図示せず）、このカバー体を例えばベース用カバー体７７の上部位置で回転させるように構成してもよい。なお、この場合、地面に落ちているゴミや草、微粒土砂等によってカバー体の回転が阻害されないようにするために、このカバー体の下部外周に、ゴミよけ等の枠材を設置すると効果的に用いることができる。
【００４２】
また、囲い体９は、アルミ、ステンレス合金等の金属板材をプレス成型することによって得られるものについて説明したが、例えば、強化プラスチック材を用いて、射出成型によって製造したり、木材を切削加工する等して製造してもよい。
【００４３】
さらに、カバー栓４３は、メインノズル２３の噴射口部２１の上端部に取り付けられたものについて説明したが、カバー栓４３を、カバー体７１の開口部６９の上部にヒンジ機構を介して取り付けるように構成してもよい。
【００４４】
また、本発明のスプリンクラー１は、運動場３の日向部分と日陰部分とで放水量を調節できるように構成してもよい。具体的には、例えば、運動場３に、湿度、温度、明るさ等を測定するセンサーあるいは太陽光の直接照射等を感知するセンサー、すなわち、日向及び日陰あるいは日向又は日陰を検出するセンサーを複数点在させて設置し、このセンサーによる日向又は日陰の検出結果に基づいて、制御装置１４でモータ４７の回転速度、すなわち、スプリンクラーヘッド７の回転速度を調節することができるように構成する。そして、センサーによる検出に基づいて、日向部分では、制御装置１４でモータ４７の回転速度を遅くして、日向部分に多くの水を撒くようにする。また、日陰部分では、制御装置１４でモータ４７の回転速度を速くして、又は元に戻して水を撒く量を抑える。ここでは、モータ４７にステッピングモータを使用する。
【産業上の利用可能性】
【００４５】
本発明のスプリンクラーは、学校の運動場や競技場あるいは公園や庭園等に設置されて優れた機能を発揮する。
【図面の簡単な説明】
【００４６】
【図１】本発明のスプリンクラーの正面方向の断面図である。
【図２】本発明のスプリンクラーの斜視図である。
【図３】本発明のスプリンクラーの平面図である。
【図４】カバー体と基体との取り付け位置関係を示した要部拡大断面図である。
【図５】角度設定機構の説明図である。
【図６】囲い体の外面に模様を付した一例を示した斜視図である。
【図７】放水状態を示した斜視図である。
【符号の説明】
【００４７】
１                スプリンクラー
７                スプリンクラーヘッド
９                囲い体
１４              制御装置
１７              放水用ノズル
４３              カバー栓
４５              駆動装置
４７              モータ
５５              検出体
６３              被検出体
６５              角度設定機構
６７              基体
７１              カバー体
【図１】
0004712312.tif 000002
【図２】
0004712312.tif 000003
【図３】
0004712312.tif 000004
【図４】
0004712312.tif 000005
【図５】
0004712312.tif 000006
【図６】
0004712312.tif 000007
【図７】
0004712312.tif 000008